(57)【要約】【課題】  ねじキャップを備えた薄肉容器からキャップを外すのに好都合である容器保持具を提供する。【解決手段】  容器保持具２０の一対のアーム２１は、ボトル注口部と係合する。アーム２１は、その自由端から外方に突出した突出片２２を有し、キャップ２を開蓋するときに、必要で有れば、一方の手の指で一対の突出片２２を摘むようにして一対のアーム２１、２１の間隔を狭めるように適度に力を加えながら、キャップ２を回転させる。【選択図】      図２
2005263329.tif 000002
【特許請求の範囲】
【請求項１】
ねじキャップで施蓋された注口部を備えた容器のための容器保持具であって、
前記注口部と摩擦係合する摩擦係合手段を有し、
前記キャップを開蓋するときに、前記摩擦係合手段と前記注口部との摩擦係合により前記容器の回転を防止しながら前記キャップを開蓋することができることを特徴とする容器保持具。
【請求項２】
未開蓋保証リングを含むねじキャップで施蓋された注口部を備えた容器のための容器保持具であって、
前記未開蓋保証リングと摩擦係合する摩擦係合手段を有し、
前記キャップを開蓋するときに、前記摩擦係合手段と前記未開蓋保証リングとの摩擦係合により前記容器の回転を防止しながら前記キャップを開蓋することができることを特徴とする容器保持具。
【請求項３】
ねじキャップで施蓋された注口部を有し、前記注口部に凹所又は突起を備えた容器と、
前記注口部と係合する部分に前記凹所又は突起と凹凸嵌合する凹凸嵌合手段を有し、且つ、前記キャップを開蓋するときに、前記凹凸嵌合手段と前記前記注口部の凹所又は突起との係合により前記容器の回転を防止しながら前記キャップを開蓋することができる容器保持具との組み合わせ。
【請求項４】
未開蓋保証リングを含むねじキャップで施蓋された注口部を有し、前記未開蓋保証リングに凹所又は突起を備えた容器と、
前記未開蓋保証リングと係合する部分に前記凹所又は突起と凹凸嵌合する凹凸嵌合手段を有し、且つ、前記キャップを開蓋するときに、前記凹凸嵌合手段と前記未開蓋保証リングの凹所又は突起との係合により前記容器の回転を防止しながら前記キャップを開蓋することができる容器保持具との組み合わせ。
【請求項５】
ねじキャップで施蓋された注口部を有し、前記注口部が断面非円形の形状を備えた容器と、
前記注口部の断面非円形部分の少なくとも一部と相補的な形状を備えた係合手段を有し、且つ、前記キャップを開蓋するときに、前記係合手段と前記注口部の断面非円形部分との係合により前記容器の回転を防止しながら前記キャップを開蓋することができる容器保持具との組み合わせ。
【請求項６】
未開蓋保証リングを含むねじキャップで施蓋された注口部を有し、前記未開蓋保証リングが非円形の形状を備えた容器と、
前記未開蓋保証リングの非円形形状の少なくとも一部と相補的な形状を備えた係合手段を有し、且つ、前記キャップを開蓋するときに、前記係合手段と前記未開蓋保証リングとの係合により前記容器の回転を防止しながら前記キャップを開蓋することができる容器保持具との組み合わせ。
【請求項７】
ねじキャップで施蓋された注口部を備えた容器を開蓋する方法であって、
前記注口部と摩擦係合する摩擦係合手段を有する容器保持具を用意する工程と、
該容器保持具を前記容器に装着する工程と、
前記キャップを開蓋するときに、前記容器保持具をユーザが手で掴むことによって、前記容器保持具の摩擦係合手段と前記注口部との摩擦係合により前記容器の回転を防止しながら前記キャップを開蓋させる工程とを有することを特徴とする容器の開蓋方法。
【請求項８】
未開蓋保証リングを含むねじキャップで施蓋された注口部を備えた容器を開蓋する方法であって、
前記未開蓋保証リングと摩擦係合する摩擦係合手段を有する容器保持具を用意する工程と、
該容器保持具を前記容器に装着する工程と、
前記キャップを開蓋するときに、前記容器保持具をユーザが手で掴むことによって、前記容器保持具の摩擦係合手段と前記未開蓋保証リングとの摩擦係合により前記容器の回転を防止しながら前記キャップを開蓋させる工程とを有することを特徴とする容器の開蓋方法。
【請求項９】
前記キャップを開蓋させる工程が、前記容器保持具をユーザが手で掴むことによって、前記容器保持具の摩擦係合手段と前記注口部との摩擦係合力を高める工程を更に含む請求項７の容器の開蓋方法。
【請求項１０】
前記キャップを開蓋させる工程が、前記容器保持具をユーザが手で掴むことによって、前記容器保持具の摩擦係合手段と前記未開蓋保証リングとの摩擦係合力を高める工程を更に含む請求項８の容器の開蓋方法。
【請求項１１】
ねじキャップで施蓋された注口部を備えた容器を開蓋する方法であって、
前記キャップで施蓋された注口部を有し、該注口部に凹所又は突起を備えた容器を用意する工程と、
前記注口部と係合する部分に前記凹所又は突起と凹凸嵌合する凹凸嵌合手段を有する容器保持具を用意する工程と、
該容器保持具を前記容器に装着する工程と、
前記キャップを開蓋するときに、前記容器保持具をユーザが手で掴むことによって、前記容器保持具の凹凸嵌合手段と前記注口部に凹所又は突起との係合により前記容器の回転を防止しながら前記キャップを開蓋する工程とを有することを特徴とする容器の開蓋方法。
【請求項１２】
前記キャップを開蓋させる工程が、前記容器保持具をユーザが手で掴むことによって、前記容器保持具の凹凸嵌合手段と前記注口部の凹所又は突起との係合力を高める工程を更に含む請求項１１の容器の開蓋方法。
【請求項１３】
ねじキャップで施蓋された注口部を備えた容器を開蓋する方法であって、
前記キャップで施蓋された注口部を有し、該注口部が断面非円形の形状を備えた容器を用意する工程と、
前記注口部の断面非円形部分の少なくとも一部と相補的な形状を備えた係合手段を有する容器保持具を用意する工程と、
該容器保持具を前記容器に装着する工程と、
前記キャップを開蓋するときに、前記容器保持具をユーザが手で掴むことによって、前記容器保持具の係合手段と前記注口部の断面非円形部分との係合により前記容器の回転を防止しながら前記キャップを開蓋する工程とを有することを特徴とする容器の開蓋方法。
【発明の詳細な説明】
【技術分野】
【０００１】
この発明は、容器保持具及び容器と容器保持具との組み合わせ並びに容器の開蓋方法に関する。特に、これまでの或る程度の厚みを有するＰＥＴボトルに代わって、飲料用などの液体を収容してデリバリーするのに好適な薄肉容器に適したものに関する。
【背景技術】
【０００２】
ミネラルウオータやお茶など飲料用液体は、ＰＥＴボトルに収容されて販売されている。このＰＥＴボトルは或る程度の厚みを有するプラスチック容器であるが、近時の産業廃棄物問題やコスト低減を考慮に入れるとボトルの肉厚を薄くすることが効果的である。
【発明の開示】
【発明が解決しようとする課題】
【０００３】
しかしながら、容器の薄肉化は、ねじキャップを備えた容器にあっては、キャップを外すために、容器本体を手で掴んでキャップに回転力を与えると、容器本体が容易に変形してボトル内圧を高めてしまう、また、この変形によって、キャップを外したときに内容物が容器注口部分から勢いよく噴出してしまう、というような問題が発生し易い。特に、このような問題は、未開蓋保証リングを備えたキャップの場合、その初期開蓋の際に、未開蓋リングからキャップを引き離すために力を込めてキャップを回さなければならないため、上述したような問題が特に発生し易い。
【０００４】
そこで、本発明の目的は、ねじキャップを備えた薄肉容器からキャップを外すのに好都合である容器保持具及び容器と容器保持具との組み合わせ並びに容器の開蓋方法を提供することにある。
【課題を解決するための手段】
【０００５】
かかる技術的課題は、本発明の一つの観点によれば、
ねじキャップで施蓋された注口部を備えた容器のための容器保持具であって、
前記注口部と摩擦係合する摩擦係合手段を有し、
前記キャップを開蓋するときに、前記摩擦係合手段と前記注口部との摩擦係合により前記容器の回転を防止しながら前記キャップを開蓋することができることを特徴とする容器保持具を提供することにより達成される。
【０００６】
かかる技術的課題は、本発明の他の観点によれば、
未開蓋保証リングを含むねじキャップで施蓋された注口部を備えた容器のための容器保持具であって、
前記未開蓋保証リングと摩擦係合する摩擦係合手段を有し、
前記キャップを開蓋するときに、前記摩擦係合手段と前記未開蓋保証リングとの摩擦係合により前記容器の回転を防止しながら前記キャップを開蓋することができることを特徴とする容器保持具を提供することにより達成される。
【０００７】
かかる技術的課題は、本発明の別の観点によれば、
ねじキャップで施蓋された注口部を有し、前記注口部に凹所又は突起を備えた容器と、
前記注口部と係合する部分に前記凹所又は突起と凹凸嵌合する凹凸嵌合手段を有し、且つ、前記キャップを開蓋するときに、前記凹凸嵌合手段と前記注口部の凹所又は突起との係合により前記容器の回転を防止しながら前記キャップを開蓋することができる容器保持具との組み合わせを提供することにより達成される。
【０００８】
かかる技術的課題は、本発明の更に別の観点によれば、
未開蓋保証リングを含むねじキャップで施蓋された注口部を有し、前記未開蓋保証リングに凹所又は突起を備えた容器と、
前記未開蓋保証リングと係合する部分に前記凹所又は突起と凹凸嵌合する凹凸嵌合手段を有し、且つ、前記キャップを開蓋するときに、前記凹凸嵌合手段と前記未開蓋保証リングの凹所又は突起との係合により前記容器の回転を防止しながら前記キャップを開蓋することができる容器保持具との組み合わせを提供することにより達成される。
【０００９】
かかる技術的課題は、本発明の他の観点によれば、
ねじキャップで施蓋された注口部を有し、前記注口部が断面非円形の形状を備えた容器と、
前記注口部の断面非円形部分の少なくとも一部と相補的な形状を備えた係合手段を有し、且つ、前記キャップを開蓋するときに、前記係合手段と前記注口部の断面非円形部分との係合により前記容器の回転を防止しながら前記キャップを開蓋することができる容器保持具との組み合わせを提供することにより達成される。
【００１０】
かかる技術的課題は、本発明の更に別の観点によれば、
未開蓋保証リングを含むねじキャップで施蓋された注口部を有し、前記未開蓋保証リングが非円形の形状を備えた容器と、
前記未開蓋保証リングの非円形形状の少なくとも一部と相補的な形状を備えた係合手段を有し、且つ、前記キャップを開蓋するときに、前記係合手段と前記未開蓋保証リングとの係合により前記容器の回転を防止しながら前記キャップを開蓋することができる容器保持具との組み合わせを提供することにより達成される。
【００１１】
かかる技術的課題は、本発明の他の観点によれば、
ねじキャップで施蓋された注口部を備えた容器を開蓋する方法であって、
前記注口部と摩擦係合する摩擦係合手段を有する容器保持具を用意する工程と、
該容器保持具を前記容器に装着する工程と、
前記キャップを開蓋するときに、前記容器保持具をユーザが手で掴むことによって、前記容器保持具の摩擦係合手段と前記注口部のと摩擦係合により前記容器の回転を防止しながら前記キャップを開蓋させる工程とを有することを特徴とする容器の開蓋方法を提供することにより達成される。
【００１２】
かかる技術的課題は、本発明の他の観点によれば、
未開蓋保証リングを含むねじキャップで施蓋された注口部を備えた容器を開蓋する方法であって、
前記未開蓋保証リングと摩擦係合する摩擦係合手段を有する容器保持具を用意する工程と、
該容器保持具を前記容器に装着する工程と、
前記キャップを開蓋するときに、前記容器保持具をユーザが手で掴むことによって、前記容器保持具の摩擦係合手段と前記未開蓋保証リングとの摩擦係合により前記容器の回転を防止しながら前記キャップを開蓋させる工程とを有することを特徴とする容器の開蓋方法を提供することにより達成される。
【００１３】
かかる技術的課題は、本発明の別の観点によれば、
ねじキャップで施蓋された注口部を備えた容器を開蓋する方法であって、
前記キャップで施蓋された注口部を有し、該注口部に凹所又は突起を備えた容器を用意する工程と、
前記注口部と係合する部分に前記凹所又は突起と凹凸嵌合する凹凸嵌合手段を有する容器保持具を用意する工程と、
該容器保持具を前記容器に装着する工程と、
前記キャップを開蓋するときに、前記容器保持具をユーザが手で掴むことによって、前記容器保持具の凹凸嵌合手段と前記注口部に凹所又は突起との係合により前記容器の回転を防止しながら前記キャップを開蓋する工程とを有することを特徴とする容器の開蓋方法を提供することにより達成される。
【００１４】
かかる技術的課題は、本発明の別の観点によれば、
ねじキャップで施蓋された注口部を備えた容器を開蓋する方法であって、  前記キャップで施蓋された注口部を有し、該注口部が断面非円形の形状を備えた容器を用意する工程と、
前記注口部の断面非円形部分の少なくとも一部と相補的な形状を備えた係合手段を有する容器保持具を用意する工程と、
該容器保持具を前記容器に装着する工程と、
前記キャップを開蓋するときに、前記容器保持具をユーザが手で掴むことによって、前記容器保持具の係合手段と前記注口部の断面非円形部分との係合により前記容器の回転を防止しながら前記キャップを開蓋する工程とを有することを特徴とする容器の開蓋方法を提供することにより達成される。
【発明の実施の形態】
【００１５】
本発明の容器保持具は、未開蓋保証リングを備えたねじキャップを始めて開蓋するときから使用してもよく、又は、一度開蓋した後に容器に装着して使用するものであってもよい。また、本発明の容器保持具は、未開蓋保証リング無しのねじキャップで施蓋した容器に適用することもできる。
【００１６】
本発明が適用される容器に収容される液体は、特に限定されるものではないが、最も典型的には、水やお茶など飲料用液体である。すなわち、本発明を好適に適用することのできる容器は、現在入手可能なＰＥＴボトルに類する容器であり、少なくとも容器の本体部分は、現在入手可能なＰＥＴボトルよりも薄肉化して形成される。ＰＥＴボトルを参照すると理解できるように、飲料用液体を収容するボトルの注口部は、一般的に、注口端から容器本体側に向けて、順に、ねじキャップを螺着させるための雄ねじを備えた開口端部分、フランジ部分つまりネックリング、首部分、肩部分を備え、ボトルの注口部は、その肩部分からボトル本体に連なっている。
【００１７】
本発明を適用することのできる容器の他の例としては、パウチと称される容器がある。パウチの注口部は、ねじキャップを螺着させるための雄ねじを備えた開口端部分、フランジ、首部分を備え、パウチの注口部は、その首部分から容器のパウチ本体に連なっている。
【００１８】
本発明に従う容器保持具は、典型的には、ボトル注口部と係合する一対のアームを備えている。この一対のアームは、キャップを外すときに、ボトル注口部と摩擦係合、凹凸嵌合など及びこれらの組み合わせによる滑り止めによりボトル本体の供回りを防止することができる。
【００１９】
一対のアームの自由端には、外方に延びる摘み部分又は突出片を備えているのがよい。キャップを外すときに、片手の指で一対の摘み部分を互いに接近させるように力を加えることで、一対のアームの相対的な間隔を狭め、これによりボトル注口部との係合を確かなものにすることができる。
【００２０】
本発明を適用することのできる容器として、ねじキャップが未開蓋保証リングを含む場合、このねじキャップと未開蓋保証リングの少なくとも一方に突起を設けて、ねじキャップを始めて開蓋するときに、ユーザが指で突起を押しながら開蓋するようにしてもよい。
本発明の利点や構成および他の目的などは、以下の本発明の好ましい実施例の説明から明らかになるであろう。
【発明を実施するための最良の形態】
【００２１】
添付の図面を参照して、本発明の好ましい実施例を詳しく説明する。
【００２２】
第１実施例（図１〜図４）
図１、図２に示すボトルは、従来からミネラルウオータやお茶などをデリバリーするのに多用されている周知のＰＥＴボトルに代わるものであり、プラスチック成形品である。本発明を好ましく適用できるボトル１の容量は特に限定されるものではないが、例示のボトル１は、２リットル容器であり、典型的にはミネラルウオータをデリバリーするのに用いられるが、他の用途のために使用するものであってもよく、飲料用に限定されず、例えばシャンプーや家庭用洗剤などに使用するものであってもよい。
【００２３】
ボトル１の基本形状は従来と同様であり、ねじキャップ２で施蓋される注口部３（図面にはキャップで隠れて、その一部しか現れていない）とボトル本体４とを有する。ボトル本体４は、ここでは円筒形状を有しているが、特に限定されるものではなく、四角形や五角形などの角柱形状を有していてもよい。
【００２４】
注口部３は、注口端からボトル本体４に向けて順に、ねじ付きキャップ２を螺着させるための雄ねじを備えた開口端部分（図面には作図上の理由から現れていない）、円形フランジ又はネックリング５、首部分６（図２、図３）、肩部分７を有している。この注口部３の構成は従来と同一である。
【００２５】
注口部３は、少なくとも開口端部分と、ネックリング５と、首部分６は、従来のＰＥＴボトルの注口部と同じ程度の堅さを備えているのがよく、これに加えて、肩部分７の少なくともその上端部分つまり首部分６との境界部分が、首部分６とほぼ同一の堅さを備えていてもよい。
【００２６】
ボトル本体４は、従来のＰＥＴボトルと比較して相当に薄肉であり、この薄肉の程度は、空の状態で軽く指で押しても容易に変形しない程度であってよく、また、指で押すと容易に変形する程度であってもよい。すなわち、ボトル本体４は、従来のＰＥＴボトルと比較して相当に薄肉であるが、自己の形状を保持することのできる範囲内で薄肉化したものであってよく、また、パウチと同様に、自己の形状を保持することのできない程度まで薄肉化したものであってもよい。
【００２７】
ちなみに、現在入手可能なＰＥＴボトルは、肉厚３００μｍ程度である。本発明の容器保持具を好適に適用できるボトル１としては、ボトル本体４の肉厚が２５０μｍよりも薄く、好ましくは、２００μｍ以下の肉厚であるのがよく、例えば５０〜３５μｍ程度の肉厚であってもよい。ボトル１のコストを下げながら実用性の面で支障が無ければ、ボトル１の肉厚は、１０〜９０の１０μｍ単位の数値に限定されるものではなく、薄ければ薄い程良いことは言うまでもない。
【００２８】
キャップ２は、従来と同様に、その下端に切り離し可能な未開蓋保証リング１１を含む。この未開蓋保証リング１１は、内周面に複数のラチェット歯（図示せず）が形成され、このラチェット歯と噛み合う複数の歯１２が、ネックリング５と開口端部分との境に形成されている。キャップ２を回転させると、未開蓋保証リング１１はラチェット歯１２によって供回りが禁止され、キャップ２から切り離される。このような未開蓋保証リング１１を備えたキャップ２は従来から周知であるので、これ以上の説明は省略する。
【００２９】
未開蓋保証リング１１の変形例は、例えば、未開蓋保証リングが割れるなど様々なタイプが知られているが、本発明の適用にあっては、図示の未開蓋保証リング１１に限定されるものではなく、任意の未開蓋保証リングに対して適用可能であることは当業者にとって理解可能であろう。したがって、以下の説明では、代表的な例示として、図示の未開蓋保証リング１１との関係で説明するが、これは単なる例示であり、任意のタイプの未開蓋保証リングを含めた説明であると理解されたい。
【００３０】
図１〜図４は、本発明に従う第１実施例の容器保持具２０を薄肉ボトル１に装着した状態を示す。図１は側面図であり、図２は正面図であり、図３は要部の部分断面図であり、図４は、図３のＩＶ−ＩＶ線に沿った断面図である。
【００３１】
容器保持具２０は典型的にはプラスチック成型品である。使用可能なプラスチック材料としては、ポリエチレン（ＰＥ）、ポリプロピレン（ＰＰ）、ＡＢＳ樹脂、ポリアミド（ＰＡ）、ポリアセタール（ＰＯＭ）、ポリエチレンテレフタレート（ＰＥＴＰ）などを例示することができる。容器保持具２０は、その少なくも一部を金属で構成することもできる。
【００３２】
この容器保持具２０は、図４から理解できるように、ボトル注口部３を取り囲むようにして位置する一対のアーム２１、２１を含み、一対のアーム２１、２１はその一端で合流して一体化している。他方、アーム２１の他端つまり自由端は、互いに離間して、一対のアーム２１、２１の他端の間にボトル注口部３を挿入することのできる隙間Ａ（図４）を形成している。
【００３３】
この容器保持具２０にあっては、アーム２１は断面円形のボトル注口部３に適合した円弧形状の内面を有している。容器保持具２０は、一対のアーム２１、２１の弾性変形を伴って、これらアーム２１、２１間の隙間Ａを通じてボトル注口部３に嵌着される。
【００３４】
図４に示す断面図を見ると、アーム２１の内面と注口部３の外周面との間に隙間が存在している。この図４のように、容器保持具２０をボトル１に装着した状態で、容器保持具２０のアーム２１がボトル注口部３に対して若干の隙間が存在する遊嵌状態となるように設計してもよく、或いは、アーム２１とボトル注口部３とが圧接した密な嵌合状態となるように設計してもよい。
【００３５】
また、アーム２１の内面形状は、図示の例では、ボトル注口部３の径にほぼ一致した円弧形状を有しているが、これに限定されるものではなく。ボトル注口部３の径よりも大きな径の円弧形状を有していてもよい。また、アーム２１の内面は、水平断面で見たときに、波形又は鋸歯形などの凹凸形状を有していてもよい。
【００３６】
また、アーム２１は、この実施例では、キャップ２の未開蓋保証リング１１、ネックリング５、首部分６と当接可能な内面を備えている。すなわち、アーム２１の内面は、略Ｌ字の垂直断面形状の輪郭（図３参照）を有しているが、この内面形状に限定されるものではない。
【００３７】
アーム２１の内面は、ネックリング５と未開蓋保証リング１１との間の隙間に侵入可能な内周フランジを備えていてもよい。また、アーム２１は、キャップ２の未開蓋保証リング１１、ネックリング５、首部分６、肩部分７の少なくとも一つと係合する高さ寸法又は内面を備えていればよい。また、ボトル肩部分７の少なくとも上端部分と係合可能なスカート部分をアーム２１の下端に付設してもよい。
【００３８】
すなわち、アーム２１は、(1)未開蓋保証リング１１と係合する；(2)ネックリング５と係合する；(3)首部分６と係合する；(4)肩部分７と係合する；(5)未開蓋保証リング１１及びネックリング５と係合する；(6)未開蓋保証リング１１及び首部分６と係合する；(7)未開蓋保証リング１１及び肩部分７と係合する；(8)未開蓋保証リング１１、首部分６並びに肩部分７と係合する；(9)首部分だけと係合する；(10)首部分６と肩部分７と係合するなど、未開蓋保証リング１１、ネックリング５、首部分６、肩部分７の４つの要素のいずれか一つ又は任意に組み合わせと係合するように設計することができる。
【００３９】
容器保持具２０は、必ずしも必須ではないが、アーム２１の自由端から外方に突出した突出片つまり摘み部分２２を有する。また、容器保持具２０は、ボトル本体４の外形に沿ってその周囲を取り囲む胴部２３を備えているのが好都合である。この胴部２３の全体形状及び横断面形状は任意である。すなわち、例えば、円筒形状のボトル本体４に対して、断面矩形又は断面六角形など任意の形状を有していてもよく、また、胴部２３はボトル本体４と接していてもよく、或いは、若干隙間を有していてもよい。
【００４０】
胴部２３は、ボトル本体４の略下半分を囲む形状を有し、ボトル本体４の上半分を開放した形状を有している。この胴部２３の斜め上方の開放部分を通じてボトル１を容器保持具２０の中に挿入することができる。この場合、ボトル１の挿入を容易にするために、開放部分の幅を広くする、或いは、胴部２３の高さ寸法を小さく設定するようにすればよい。
【００４１】
容器保持具２０の胴部２３は、下方に開放した形状を有する。すなわち、容器保持具２０は、ボトル１の底を受ける底部を備えていない。したがって、容器保持具２０の下方からボトル１に挿入することができる。この場合、例えば、容器保持具２０の下端部分つまり胴部２３の下端部分を下方に向けて拡開させる形状にするのがよい。この拡開部分つまりテーパ部分の案内作用により、胴部２３の下方からのボトル１の挿入を容易にすることができる。
【００４２】
胴部２３は、２対の縦スリット２４を有しており、各対の縦スリット２４を利用してボトル１をハンドリングすることができ、例えばボトル１を傾けてミネラルウオータをコップに注ぐことができる。
【００４３】
胴部２３と、一対のアーム２１、２１とは、ボトル１に沿って垂直に延びる連結部分２５で連結されている。すなわち、連結部分２５は、一対のアーム２１、２１の合流部分から一旦横方向に延びた後にほぼ直角に垂下して胴部２３と合流する形状を有する。
【００４４】
換言すれば、連結部分２５は側方から見たときに逆Ｌ字形状を有し、連結部分２５のコーナ部分２７は、ここに指を掛けてボトル１を持ち上げるのに適している。例えば、冷蔵庫のドアのポケットにボトル１を起立して収容してある場合に、容器保持具２０の連結部分２５のコーナ部分２７に指を掛けてボトル１を冷蔵庫から取り出すことができる。
【００４５】
図示の容器保持具２０は、その胴部２３が、図２から最も良く理解できるように、円筒形状を一本の縦スリットで分割した形状を有する。すなわち、胴部２３は連結部分２５と合流する部分からボトル本体４の略下半分を、左右から夫々包囲する一対の断面略半円形状の側壁２６を有し、この一対の側壁２６、２６の互いに対向する自由端縁の間に隙間が形成されており、この一対の側壁２６、２６には、互いに対向する自由端縁の近傍に一対の上記の縦スリット２４が形成され、側壁２６、２６の基端部分つまり連結部分２５の延長線に沿って他の対の縦スリット２４が形成されている（一方の縦スリットは図示の関係上図面に現れていない）。すなわち、一方の対の縦スリット２４と他方の対の縦スリット２４とは、直径方向に対向して配置されており、ユーザは、任意の対の縦スリット２４に指を差し入れて容器保持具２０内のボトル１をハンドリングすることができる。
【００４６】
容器保持具２０は、キャップ２を開蓋するときに、必要で有れば、一方の手の指Ｆ（図４）で一対の摘み部分２２を摘むようにして一対のアーム２１、２１の間隔を狭めるように適度に力を加えながら、キャップ２を回転させるのがよい。これにより、一対のアーム２１、２１が注口部３と圧接して摩擦係合によりボトル１の供回りを防止しつつ、キャップ２を開蓋つまり未開蓋保証リング１１からキャップ２を切り離すことができる。
【００４７】
この容器保持具２０に関し、摘み部分つまり突出片２２を省いて構成してもよく、突出片２２を具備しない容器保持具２０の場合には、この容器保持具２０をボトル１に装着した状態で、一対のアーム２１、２１がボトル注口部３に密に嵌合する状態であるのがよい。
【００４８】
ユーザは、一方の手の指で一対のアーム２１、２１を外側から押さえる又は容器保持具２０の他の部位を手で押さえながらキャップ２を回転させることで、容器保持具２０つまり一対のアーム２１、２１とボトル注口部３との摩擦係合による滑り止めにより、ボトル１の供回りを防止しつつキャップ２を開蓋することができる。
【００４９】
以下に、本発明に従う他の実施例を説明するが、上述したボトル１及び第１実施例と同一の要素には同一の参照符号を付すことによりその説明を省略し、以下に他の実施例の特徴部分について説明する。
【００５０】
第２実施例（図５〜図８）
この第２実施例の説明においては、ボトル１にネックリング５に切欠き又は凹所３１を形成した場合を例に説明する。ネックリング５には、直径方向に対向した一対の凹所３１が形成されている。この凹所３１は矩形であるのが好ましい。
【００５１】
第２実施例の容器保持具３０は、その一対のアーム２１、２１の内面に、夫々、突起３２が形成されている。突起３２は、凹所３１と噛み合う矩形形状であるのがよい。突起３２の配置位置は、容器保持具３０をボトル１に装着したときに、ネックリング５の一対の凹所３１と係合することのできる位置つまりネックリング５の周回りに１８０度離間した位置に配置されている。
【００５２】
容器保持具３０をボトル１に装着すると、一対のアーム２１、２１の突起３２とネックリング５の凹所３１とが凹凸嵌合して機械的に係合した状態となって滑り止めを構成することから、キャップ２を外すときに、容器保持具３０を手で支えることで、ボトル１の供回りを防止することができる。
【００５３】
この容器保持具３０にあっては、一対のアーム２１、２１をボトル注口部３に装着したときに、アーム２１の内面、特に、突起３２の部分がボトル注口部３と圧着した状態となるように設計するのが好ましい。なお、図７、図８などでは、アーム２１の内面と注口部３との間にクリアランスが存在しているように図示してあるが、これは要素の図示を明らかにするための作図上の理由からであると理解されたい。
【００５４】
図６、図７及び図８から理解できるように、容器保持具３０は、先の第１実施例で説明した突出片２２を備えていない。当業者であれば理解できるであろうが、この容器保持具３０にあっても、第１実施例と同様にアーム２１の自由端に突出片２２を備えていてもよい。
【００５５】
第２実施例の容器保持具３０のアーム２１に突出片２２を設けた場合、アーム２１の内面とボトル注口部３との間にクリアランスがあってもよい。ユーザが一対の突出片２２を指で挟み込むようにして力を加えながらキャップ２を外す動作を行うことで、アーム２１の突起３２とネックリング５の凹所３１との係合を確実なものにすることができる。
【００５６】
容器保持具３０は、未開蓋保証リング１１、ボトル首部分６以外にボトル肩部分７の上端部分と係合する形状を有している。これらの要素の少なくとも一つの要素と容器保持具３０とが、容器保持具３０をボトル１に装着した状態で、圧接するように設計してもよい。これにより、容器保持具３０は、上述した凹所３１と突起３２との凹凸嵌合に加えて、未開蓋保証リング１１、ボトル首部分６以外にボトル肩部分７の少なくとも一つの要素と容器保持具３０との摩擦係合により滑り止めが確実なものとなり、上述したボトル１の供回りを防止することができる。
【００５７】
上述した凹所３１と突起３２との関係は、逆であってもよく、ネックリング５に突起を設け、これを受け入れる凹所をアーム２１に設けてもよい。また、凹所３１、突起３２の数は２つに限定されるものではなく、例えば３つ又は４つなど複数、設けてもよい。
【００５８】
以上の説明では、第２実施例の容器保持具３０として、ネックリング５に凹所３１を設け、容器保持具３０の対応する箇所に突起３２を設けた例を説明したが、この凹所及び突起を設ける箇所は、未開蓋保証リング１１、ボトル首部分６、ボトル肩部分７及びこれに対応する容器保持具３０の部位に設けてもよい。例えば、ボトル首部分６やボトル肩部分７に凹所又は突起を設け、これに対応する容器保持具３０の部位に突起又は凹所を設けてもよい。
【００５９】
また、容器保持具３０のアーム２１は、未開蓋保証リング１１からボトル肩部分７を覆うことのできる高さ寸法を備えた形状として図示してあるが、図示のようにネックリング５に凹所３２を設けた場合には、アーム２１の高さ寸法つまり幅寸法を小さくして、未開蓋保証リング１１及びボトル肩部分７に対応する部分を備えていなくてもよい。
【００６０】
第３実施例（図９、図１０）
第３実施例の容器保持具４０にあっては、一対のアーム２１、２１の互いに対面する内面に、図９から理解できるように、未開蓋保証リング１１とネックリング５との間に侵入する内周フランジ４１を備えている。この内周フランジ４１には、図１０に示すように、ネックリング５とボトル開口端部分との境に形成された複数の歯１２つまり未開蓋保証リング１１のラチェット歯と噛み合う歯１２に対応した複数の凹所４２が形成されている。
【００６１】
この第３実施例の容器保持具４０のアーム２１は、他に、ボトル首部分６の周面と摩擦係合する部分４３を含む。このボトル首部分６に第２実施例で説明した凹所３１又は突起を設け、これに対応する突起３２又は凹所を首部係合部分４３の内面に設けるようにしてもよい。
【００６２】
また、この第３実施例の容器保持具４０のアーム２１に未開蓋保証リング１１と係合する部分を設けてもよく、また、この未開蓋保証リング１１に凹所又は突起を設けるのであれば、この未開蓋保証リング１１と係合する部分に突起又は凹所を設けるようにしてもよい。
【００６３】
また、この第３実施例の容器保持具４０にあっても、アーム２１の自由端に上述した突出片２２（図３、図４参照）を設けてもよい。
【００６４】
この第３実施例にあっても、容器保持具４０をボトル１に装着して、必要で有れば容器保持具４０を手で掴みながらキャップ２を回転させることにより、ボトル１側のラチェット歯１２とアーム２１との噛み合い係合による滑り止めにより、ボトル１の供回りを防止しつつキャップ２を外すことができる。
【００６５】
もし、キャップ２の初期開蓋つまり未開蓋保証リング１１を切り離すのに、ボトル１側のラチェット歯１２とアーム２１との噛み合い係合では供回りを防止するのに不足するのであれば、アーム２１の自由端に突出片２２（図３）を設けるようにすればよい。
【００６６】
第４実施例（図１１）
図１１は、第４実施例の容器保持具５０を示す。この容器保持具５０にあっては、一対のアーム２１の下端からボトル１の肩部分７に沿って垂下し、首部分６の下端とボトル本体４の上端とのほぼ中間位置まで大きく延びるスカート部分５１を含み、このスカート部分５１には、その周方向全域にわたって鋸歯状の係合溝５２が形成されている。すなわち、スカート部分５１の係合溝５２は、スカート部分５１を波形に折り曲げたような形状を有し、各折り曲げ部分は断面三角形の形状を有する。
【００６７】
このようなスカート部分５１を備えた容器保持具５０が適用されるボトル１は、肩部分６の略上半分の部分に上述した係合溝５２と一致する鋸歯状の第２の係合溝５３を有するのがよい。このようなボトル１は、肩部分６の少なくとも第２の係合溝５３が形成されている部分まで厚肉に設計して比較的堅く作り、これよりも下の部分を薄肉に作るのがよい。
【００６８】
容器保持具４０は、その一対のアーム２１、２１の離間距離、つまり、一対のアーム２１、２１によって囲まれた空間すなわちボトル注口部３を収容する空間の径がキャップ２などよりも大径であってもよいし、先の第１実施例などのようにボトル注口部３と僅かなクリアランスを有する程度の径であってもよい。また、アーム２１、２１がボトル注口部３と圧接してこれを挟持するように設計してもよい。
【００６９】
一対のアーム２１、２１の離間距離を大きく設定したときには、キャップ２の上から容器保持具４０を挿入するようにしてボトル１に装着してもよい。他方、一対のアーム２１、２１の離間距離を小さく設定したときには、第１実施例などと同様に、アーム２１、２１の自由端同士の隙間Ａを通じてボトル注口部３の側方から容器保持具５０を装着するようにすればよい。
【００７０】
第４実施例の容器保持具５０によれば、スカート部分５１の第１鋸歯状係合溝５２とボトル１の第２の鋸歯状係合溝５３を噛み合わせた状態で、必要で有れば容器保持具５０のスカート部分５１を手で押さえながらキャップ２を回転させることで、滑りを抑えながら、つまり、ボトル１の供回りを防止しながら、キャップ２を開蓋することができる。
【００７１】
この第４実施例の容器保持具５０の一対のアーム２１、２１を上述した第１実施例又は第２実施例と同様に作ってもよい。すなわち、一対のアーム２１、２１とボトル注口部３とを摩擦係合させるようにしてもよく、又は、一対のアーム２１、２１とボトル注口部３とを凹凸係合させるようにしてもよい。
【００７２】
また、第４実施例の容器保持具５０にあっては、一対のアーム２１、２１の代わりに、このアーム２１同士が連結したリング形状に作ってもよい。この場合、このボトル注口部３に対応するリングの径は、ボトル注口部３よりも大径に作り、キャップ２の上から容器保持具５０を被せるようにしてボトル１に装着するようにすればよい。
【００７３】
なお、この第４実施例の容器保持具５０は、上述した第１実施例などの胴部２３を備えておらず、その代わりに、一対のアーム２１、２１の合流部分にリング５４が形成されている。この容器保持具５０の一対のアーム２１、２１がボトル注口部３と圧接するように設計したときには、リング５４を用いてボトル１をハンドリングすることができる。
【００７４】
なお、ボトル１が、その肩部分７に第２の係合溝５３を備えている場合には、上述した第１〜３実施例の容器保持具２０、３０、４０のアーム２１に、上述した鋸歯状の係合溝５２を備えたスカート部分５１を付設してもよい。
【００７５】
第５実施例（図１２）
図１２は、第５実施例の容器保持具６０を示すものであるが、この第５実施例は、第１実施例で説明した摩擦係合に関する変形例でもある。この容器保持具６０は、その一対のアーム２１、２１の内面において、未開蓋保証リング１１の部分と摩擦係合する部分に複数の爪又は数多くの縦溝又は突起６１を備えている。
【００７６】
この第５実施例の容器保持具６０を適用するのに適したボトル１は、未開蓋保証リング１１の外周面の全域に数多くの縦溝６２を備えているのがよい。
【００７７】
第５実施例の容器保持具６０をボトル１に装着して、一対の摘み部分２２、２２が互いに接近するように指で押さえると、アーム２１の爪又は突起６１が未開蓋保証リング１１の縦溝６２に噛み込むことによって、キャップ２を開蓋するときの摩擦係合を確かなものにする滑り止め手段を構成することになり、これによりボトル１の供回りを防止することができる。
【００７８】
この容器保持具６０にあっても、摘み部分２２を省いて構成してもよく、この場合、容器保持具６０をボトル１に装着したときに、一対のアーム２１、２１がボトル注口部３と圧接するように設計するのが好ましい。
【００７９】
上述した滑り止め手段に関し、図１２の容器保持具６０は例示であり、ネックリング５の周縁に細かい凹凸を設けてもよく及び／又はボトル首部分６に数多くの縦溝６２を設け、これらに対応するアーム２１の部分に爪又は数多くの縦溝又は突起６１を設けるようにしてもよい。つまり、ボトル１に形成した上記の滑り止め手段は、未開蓋保証リング１１、ボトルネックリング５、首部分６又はボトル肩部分７の任意の箇所に設けてもよく、容器保持具６０は、これに対応する部分に爪又は数多くの縦溝又は突起６１を設ければよい。また、この滑り止め手段を、先に説明した第１〜第３実施例の容器保持具に組み込んでもよい。
【００８０】
第６実施例（図１３、図１４）
図１３、図１４は、第６実施例の容器保持具７０を示すものであるが、この第６実施例は、上記の第５実施例と同様に、第１実施例で説明した摩擦係合に関する変形例でもある。この容器保持具７０は、その一対のアーム２１、２１の内面において、ボトルネックリング５と係合する部分に、例えばゴムなどの摩擦要素７１が設けられている。摩擦要素７１は、一対のアーム２１、２１の内面においてその全周にわたって連続的に配置してもよく、また、断続的に配置してもよく、また、例えば所定の長さ寸法の一対のゴムピースを用意し、これを一対のアーム２１、２１に取り付けるようにしてもよい。
【００８１】
第６実施例の容器保持具７０をボトル１に装着して、一対の摘み部分２２、２２が互いに接近するように指で押さえると、アーム２１の摩擦要素７１がボトルネックリング５の周縁と摩擦係合して、キャップ２を開蓋するときの滑り止め手段を構成することになり、これによりボトル１の供回りを防止することができる。
【００８２】
この容器保持具７０にあっても、摘み部分２２を省いて構成してもよく、この場合、容器保持具７０をボトル１に装着したときに、一対のアーム２１、２１の摩擦要素７１がネックリング５と圧接した状態となるように設計するのが好ましい。
【００８３】
上述した滑り止め手段に関し、図１３、図１４の容器保持具７０は例示であり、未開蓋保証リング１１及び／又はボトル首部分６及び／又はボトル肩部分７と係合する部分に摩擦要素７１を配置するようにしてもよい。また、この摩擦要素７１による滑り止めを、前述した他の実施例の容器保持具に組み込んでもよい。
【００８４】
第７実施例（図１５）
図１５は、第７実施例の容器保持具８０を示すものであるが、この第８実施例は、上記の第５実施例及び第６実施例の滑り止め手段に関する変形例でもある。この容器保持具８０は、その一対のアーム２１、２１の内面において、ボトルネックリング５と係合する部分に、数多くの断面略半円状の凹所８１が形成されている。この断面略半円状の凹所８１は、一対のアーム２１、２１の内面においてその全周にわたって連続的に設けられている。
【００８５】
この第７実施例の容器保持具８０を好都合に適用できるボトル１は、ボトルネックリング５の周縁に連続的に形成された断面略半円状の突起８２を備えているのがよい。これら凹所８１と突起８２は逆であってもよく、アーム２１に突起８２を設け、ネックリング５に凹所８１を設けてもよい。
【００８６】
なお、図示の容器保持具８０にあっては、第１実施例などで説明した摘み部分２２を備えていないが、この摘み部分２２を設けてもよい。
【００８７】
この容器保持具８０によれば、アーム２１の連続的に形成された数多くの凹所８１と、ボトルネックリング５の突起８２とが噛み合って、キャップ２を開蓋するときの滑り止めを構成することになり、これによりボトル１の供回りを防止することができる。
【００８８】
上述した滑り止めに関し、図１５に図示の容器保持具８０は単なる例示であり、未開蓋保証リング１１及び／又はボトル首部分６及び／又はボトル肩部分７と係合する部分に断面半円状の凹所８１又は突起８２を設け、これに対応するアーム２１の部分に突起８２又は凹所８１を設けてもよい。また、この凹所８１及び突起８２からなる滑り止めを、前述した他の実施例の容器保持具に組み込んでもよい。
【００８９】
第８実施例（図１６）
図１６は、第８実施例の容器保持具９０を示すものであるが、この第８実施例は、上記の第５〜７実施例の滑り止め手段に関する変形例でもある。この容器保持具９０は、その一対のアーム２１、２１の内面の互いに対向する位置に夫々ビス９１を有し、容器保持具９０をボトル１に装着した後で、ビス９１をねじ込むことにより、ビス９１の先端がボトルネックリング５の周面と係合するようになっている。
【００９０】
この容器保持具９０によれば、ビス９１の先端がボトルネックリング５に食い込むことによって、容器保持具（アーム２１）がボトル注口部３と機械的に一体化し、これにより、キャップ２を開蓋するときの滑り止め手段を構成して、ボトル１の供回りを防止することができる。
【００９１】
上述したビス９１の配置位置に関し、図１６に図示の容器保持具９０は単なる例示であり、未開蓋保証リング１１及び／又はボトル首部分６及び／又はボトル肩部分７と係合する部分にビス９１を設けることができる。また、このビス９１は、前述した他の実施例の容器保持具に組み込んでもよい。
【００９２】
第９実施例（図１７〜図１９）
図１７等は、第９実施例の容器保持具１００を示す。図示の容器保持具１００は、その一対のアーム２１がボトル首部分６と係合する部分だけで構成されているが、これは単なる例示であり、第１実施例や第２実施例のように未開蓋保証リング１１の部分まで高さ寸法を備えたアームであってもよい。
【００９３】
第９実施例の容器保持具１００に好適なボトル１は、その首部分６が断面非円形、例えば図１８に示すように断面形状が一対の円弧と一対の直線とで構成された形状又は図１９に示すように断面楕円形状であるのがよい。
【００９４】
図示の容器保持具１００のアーム２１は、図１８に例示のボトルであれば、これと相補的な形状である、互いに対向するアーム２１の内面が平行であるように構成すればよく、図１９に例示のボトルであれば、互いに対向するアーム２１の内面がボトル首部分６の断面楕円形状に適合した外方に向けて凹の湾曲形状を備えているのがよい。
【００９５】
第９実施例の容器保持具１００にあっても、第１実施例と同様に必ずしも必須ではないが、アーム２１の自由端に摘み部分つまり突出片２２を具備しているのがよい。
【００９６】
この容器保持具１００によれば、非円形形状のボトル首部分６とアーム２１との係合による滑り止めにより、キャップ２を開蓋するときのボトル１の供回りを防止するための手段を構成することができる。
【００９７】
この容器保持具１００は、単なる例示であり、ボトル１が非円形形状の未開蓋保証リング１１及び／又はボトルネックリング５及び／又はボトル肩部分７を有していれば、この非円形部分と係合するアーム２１の部分を図１７に例示したような形状にするようにしてもよい。また、このようなボトル注口部３と容器保持具１００との互いに非円形の相補的な形状による供回り防止手段は、前述した他の実施例の容器保持具に組み込んでもよい。
【００９８】
第１０実施例（図２０、図２１）
図２０、図２１は、第１０実施例の容器保持具１１０を示す。図示の容器保持具１１０は、上記の第９実施例（図１７）の変形例でもある。
【００９９】
第１０実施例の容器保持具１１０に好適なボトル１は、そのネックリング５が非円形、この実施例では、円形の互いに対向する部分を平行な直線で切り欠いた形状を有している（図２１）。
【０１００】
これに対応して容器保持具１１０にあっては、アーム２１のネックリング５に対応する部分の形状が互いに平行な直線１１１、１１１で切り欠いた内面を有している。
【０１０１】
この容器保持具１１０によれば、非円形形状のネックリング５と、これに相補的な形状を備えたとアーム２１との係合による滑り止めにより、キャップ２を開蓋するときのボトル１の供回りを防止するための手段を構成することができる。
【０１０２】
ネックリング５の非円形形状は、図２１に例示の形状に限定されるものでないことは、先の第９実施例の説明から理解できるであろう。また、第１０実施例のようなボトル注口部３と容器保持具１００との互いに非円形の相補的な形状による供回り防止手段は、前述した他の実施例の容器保持具に組み込んでもよい。
【０１０３】
図２２以降に図示の実施例又は変形例は、上述した全ての実施例の変形例として理解されたい。すなわち、図２２以降の実施例又は変形例は、上述した実施例で説明した供回り防止手段又は滑り止め手段から任意の手段を一つ又は組み合わせて採用できるものであり、これらの図に図示の手段に限定されるものでない。したがって、図２２以降に図示の実施例の説明においては、キャップ２を開蓋するときのボトル１の供回りを防止するための手段については、その説明を省略する。
【０１０４】
第１１実施例（図２２〜図２７）
第１１実施例の容器保持具１２０にあっては、第１実施例などで説明した摘み部分又は突出片２２の代わりに、図２２〜図２５に示すように、一対のハンドル１２１を備えている。この一対のハンドル１２１は、一旦、側方に延びた後、ボトル１に沿って下方に垂下する形状を有し、ハンドル１２１の下端は、ボトル１の底部分近傍に位置している。
【０１０５】
この一対のハンドル１２１を備えた容器保持具１２０にあっては、アーム２１をボトル注口部３に装着して、ボトル１からキャップ２を外すときにハンドル１２１を手Ｈで握り絞めることにより（図２５）、この力によって一対のアーム２１、２１とボトル注口部３との係合力を高めて、ボトル１の供回りを防止することができる。また、キャップ２を外した後にあっても、ハンドル１２１を用いてボトル１をハンドリングすることができる。
【０１０６】
第１１実施例の容器保持具１２０は、任意であるが、図２６、図２７に示すように、ボトル本体４を取り囲む略円形リングストリップ１２２などの支え手段の端をハンドル１２１に連結するようにしてもよい。これにより、薄肉ボトル１を略円形リング１２２で支えながらボトル１を傾けることができる。ボトル支え手段としてストリップ１２２の形状は、例えば略四角形や略六角形など図示の略円形の形状の限定されるものではない。
【０１０７】
更に、第１１実施例の容器保持具１２０は、任意であるが、図２６、図２７に示すように、ハンドル１２１の下端から挿入可能なロック用ピース１２３（図２７）を用意し、このピース１２３に、ハンドル１２１を受け入れることのできる一対の透穴１２４を設けて、ハンドル１２１を固定するようにしてもよい。
【０１０８】
このようなピース１２３を用意するのであれば、例えば、容器保持具１２０の一対のアーム２１を、例えば、縦軸を中心に開閉する一体成形ヒンジ（図示せず）で連結することができる。これにより、アーム２１を互いに離間した状態でボトル注口部３に装着し、その後、一対のハンドル１２１を握り絞めて、ハンドル１２１間の間隔を狭めてハンドル１２１の下端部分にピース１２３を装着することで、一対のアーム２１がボトル注口部３から脱落しないように係合させるようすればよい。このようにすれば、容器保持具１２０をボトル注口部３に装着するのが容易になる。
【０１０９】
ハンドル１２１をロックするためのピース１２３を取り付けた状態であっても、ハンドル１２１を握り絞めることで一対のアーム２１、２１とボトル注口部３との係合力を高めることができ、キャップ２を開蓋する際のボトル１の供回りを防止することができる。
【０１１０】
第１２実施例（図２８〜図３１）
第１２実施例の容器保持具１３０にあっては、一対のアーム２１、２１の自由端に前述した摘み部分つまり突出片２２を備えていると共に、アーム２１、２１の合流部分から外方に延びる扁平な取手１３１を備えており（図２８、２９）、この１３１は、垂直平面に沿った広がりを有している。
【０１１１】
この第１２実施例の保持具１３０によれば、キャップ２を開蓋するときに、一方の手の指Ｆ（図２９）で一対の摘み部分２２を摘むようにして一対のアーム２１、２１の間隔を狭めるように適度に力を加えながら、キャップ２を回転させるのがよい。これにより、一対のアーム２１、２１が注口部３と摩擦係合してボトル１の供回りを防止することができる。
【０１１２】
また、例えば、コップに水を注ぐときに、片手で取手１３１を把持し、他方の手でボトル１の底部を支えながらボトル１をハンドリングすることができる。勿論、冷蔵庫からボトル１を取り出すときに、取手１３１を把持することで、その取り出しも容易になる。
【０１１３】
第１２実施例の容器保持具１３０にあっては、一対のアーム２１、２１がボトル注口部３と緩く嵌合している状態であるのがよい。これにより、容器保持具１３０がボトル注口部３を中心にして容易に回転することができるため、取手１３１を把持してボトル１をハンドリングするとき、容器保持具１３０の向きつまり取手１３１を、ボトル１をハンドリングし易い向きにするのが容易になる。
【０１１４】
取手１３１は、図３０、図３１に示すように、リング形状を有していてもよい。このリング状の取手１３１を採用することにより、リング状取手１３１に指を引っ掛けて冷蔵庫のドアポケットからボトル１を取り出すことができる。
【０１１５】
第１３実施例（図３２〜図３７）
第１３実施例の容器保持具１４０にあっては、一対のアーム２１の一方のアームの自由端に、係合穴１４１を備えたベルト１４２が設けられ、他方のアームには、係合穴１４１を挿入するための係止突起１４３が設けられている（図３２〜図３５）。
【０１１６】
このベルト１４２を備えた容器保持具１４０は、限定するものではないが、図３６に示すように、一対のアーム２１、２１とボルト注口部３とが凹所３１及び突起３２による凹凸嵌合などの機械的に係合する滑り止めに適している。
【０１１７】
ベルト１４２で一対のアーム２１、２１が広がるのを防止することができるため、キャップ２を外すときに、凹凸嵌合によるボトル１の供回りを確実に防止することができる。
【０１１８】
ベルト１４２の固定方法として、図３６、図３７に示すように、一方のアーム２１の自由端から延びるベルト１４２の先端にラチェット歯１４４を設け、他方のアーム２１の自由端にリング１４５によりトンネルを形成して、リング１４５の内面にラチェット歯１４４と噛み合う爪１４６を設けるようにしてもよい（図３６、図３７）。
【０１１９】
以上、本発明の様々な実施例を説明したが、キャップ２の初期開蓋の際のトルクによるボトル１の供回りを確実に防止するのに、上述したボルト１に対して取り外し可能な容器保持具についての実施例に加えて又はこれらの実施例とは別に、図３８に示すように、キャップ２及び未開蓋保証リング１１又は少なくとも一方又は未開蓋保証リング１１に突起１５０を設けることによって、一方の手の例えば親指で未開蓋保証リング１１の突起１５０を押さえながらキャップ２を回転させることで、キャップ２を開蓋するようにしてもよい。
【図面の簡単な説明】
【０１２０】
【図１】薄肉ボトルに装着した第１実施例の容器保持具の側面図である。
【図２】図１に対応して示す正面図である。
【図３】ボトル注口部及びこれと係合する第１実施例の容器保持具の一対のアームの状態を示す一部切欠き部分正面図である。
【図４】図３のＩＶ−ＩＶ線に沿って切断した第１実施例の容器保持具の断面図である。
【図５】薄肉ボトルに装着した第２実施例の容器保持具の側面図である。
【図６】図５に対応して示す正面図である。
【図７】ボトル注口部及びこれと係合する第２実施例の容器保持具の一対のアームの状態を示す一部切欠き部分正面図である。
【図８】図７のＩＶ−ＩＶ線に沿って切断した第２実施例の容器保持具の断面図である。
【図９】第３実施例の容器保持具の要部側面図である。
【図１０】図９のＸ−Ｘ線に沿って切断した第３実施例の容器保持具の断面図である。
【図１１】ボトルに装着する前の第４実施例の容器保持具の示す側面図である。
【図１２】第５実施例の容器保持具の要部拡大部分断面図である。
【図１３】第６実施例の容器保持具の要部拡大部分断面図である。
【図１４】図１３のＸＩＶ−ＸＩＶ線に沿って切断した第６実施例の容器保持具の断面図である。
【図１５】第７実施例の容器保持具の図１４などに対応した断面図である。
【図１６】第８実施例の容器保持具の図１４などに対応した断面図である。
【図１７】第９実施例の容器保持具の要部拡大部分断面図である。
【図１８】第９実施例の容器保持具に適したボトル注口部の形状を説明するためのボトル注口部の断面図である。
【図１９】第９実施例の容器保持具に適したボトル注口部の他の形状を説明するためのボトル注口部の断面図である。
【図２０】ボトルに装着した第１０実施例の容器保持具を説明するためにこれを断面して示すボトルの注口部の正面図である。
【図２１】図２０に関連して第１０実施例の容器保持具の要部の形状及びボトル注口部の形状を説明するための要部断面図である。
【図２２】ボトルに装着した第１１実施例の容器保持具の側面図である。
【図２３】図２２に関連してボトルに装着した第１１実施例の容器保持具の正面図である。
【図２４】図２２に関連して第１１実施例の容器保持具とボトル注口部との関係を説明するための一部を断面した要部拡大図である。
【図２５】図２４のＸ２５−Ｘ２５線に沿って切断した第１１実施例の容器保持具の断面図である。
【図２６】第１１実施例の変形例を説明するためのボトルに装着した容器保持具の側面図である。
【図２７】図２６に対応した、ボトルに装着した容器保持具の正面図である。
【図２８】ボトル注口部に装着した第１２実施例の容器保持具の側面図である。
【図２９】図２８のＸ２９−Ｘ２９線に沿って切断した第１２実施例の容器保持具の断面図である。
【図３０】図２８に関連して第１２実施例の変形例を説明するための、ボトルに装着した容器保持具の側面図である。
【図３１】図３０のＸ３１−Ｘ３１線に沿って切断した容器保持具の断面図である。
【図３２】ボトルに装着した第１３実施例の容器保持具の側面図である。
【図３３】図３２に対応した第１３実施例の容器保持具の正面図である。
【図３４】図３２に示す第１３実施例の容器保持具の一部を断面した要部拡大図である。
【図３５】図３４のＸ３５−Ｘ３５線に沿って切断した第１３実施例の容器保持具の断面図である。
【図３６】第１３実施例の容器保持具の変形例を示す図３４に対応する一部を断面した要部拡大図である。
【図３７】図３６のＸ３７−Ｘ３７線に沿って切断した第１３実施例の変形例の断面図である。
【図３８】キャップの初期開蓋に好都合のキャップ及び未開蓋保証リングの例を説明するための図である。
【符号の説明】
【０１２１】
１      薄肉ボトル
２      キャップ
３      ボトル注口部
４      ボトル本体
５      ネックリング
６      ボトル首部分
７      ボトル肩部分
１１      未開蓋保証リング
２０      第１実施例の容器保持具
２１      アーム
２２      突出片又は摘み部分
Ａ      ボトル注口部挿入用の隙間
【図１】
2005263329.tif 000003
【図２】
2005263329.tif 000004
【図３】
2005263329.tif 000005
【図４】
2005263329.tif 000006
【図５】
2005263329.tif 000007
【図６】
2005263329.tif 000008
【図７】
2005263329.tif 000009
【図８】
2005263329.tif 000010
【図９】
2005263329.tif 000011
【図１０】
2005263329.tif 000012
【図１１】
2005263329.tif 000013
【図１２】
2005263329.tif 000014
【図１３】
2005263329.tif 000015
【図１４】
2005263329.tif 000016
【図１５】
2005263329.tif 000017
【図１６】
2005263329.tif 000018
【図１７】
2005263329.tif 000019
【図１８】
2005263329.tif 000020
【図１９】
2005263329.tif 000021
【図２０】
2005263329.tif 000022
【図２１】
2005263329.tif 000023
【図２２】
2005263329.tif 000024
【図２３】
2005263329.tif 000025
【図２４】
2005263329.tif 000026
【図２５】
2005263329.tif 000027
【図２６】
2005263329.tif 000028
【図２７】
2005263329.tif 000029
【図２８】
2005263329.tif 000030
【図２９】
2005263329.tif 000031
【図３０】
2005263329.tif 000032
【図３１】
2005263329.tif 000033
【図３２】
2005263329.tif 000034
【図３３】
2005263329.tif 000035
【図３４】
2005263329.tif 000036
【図３５】
2005263329.tif 000037
【図３６】
2005263329.tif 000038
【図３７】
2005263329.tif 000039
【図３８】
2005263329.tif 000040